(57)【要約】【課題】ＶＴＲ１２又は他の媒体から放送の番組素材となる映像音声Ａ１を入力し、当該映像音声を入力スイッチャー１１を介して映像音声装置１３に記録して送出する映像音声処理システムで、ＶＴＲの資源を有効に利用する。【解決手段】同録指示手段２が人から受け付けられた操作に基づいて又は予め設定されたスケジュール情報に基づいて前記他の媒体から入力される映像音声のＶＴＲによる同録を指示し、入力スイッチャーは同録が指示された場合には前記他の媒体から入力される映像音声を映像音声装置へ出力するとともにＶＴＲへ出力し、ＶＴＲは同録が指示された場合には入力スイッチャーから入力された映像音声を記録媒体２１に記録する。【選択図】  図１
2009284377.tif 000002
【特許請求の範囲】
【請求項１】
ＶＴＲ又は他の媒体から放送の番組素材となる映像音声を入力し、当該映像音声を入力スイッチャーを介して映像音声装置に記録して送出する映像音声処理システムにおいて、
人から受け付けられた操作に基づいて又は予め設定されたスケジュール情報に基づいて、前記他の媒体から入力される映像音声のＶＴＲによる同録を指示する同録指示手段を備え、
前記入力スイッチャーは、前記同録指示手段により同録が指示された場合には、前記他の媒体から入力される映像音声を前記映像音声装置へ出力するとともに前記ＶＴＲへ出力する機能を有し、
前記ＶＴＲは、前記同録指示手段により同録が指示された場合には、前記入力スイッチャーから入力された映像音声を記録媒体に記録する機能を有する、
ことを特徴とする映像音声処理システム。
【発明の詳細な説明】
【技術分野】
【０００１】
本発明は、映像音声処理システムに関し、特に、入力スイッチャーに入力される映像音声（映像や音声）をＶＴＲ（Ｖｉｄｅｏ  Ｔａｐｅ  Ｒｅｃｏｒｄｅｒ）により同録する映像音声処理システムに関する。
【背景技術】
【０００２】
例えば、放送分野において、ノンリニアバンクシステムは、ビデオサーバへの素材の収録と送出をその主な用途としている。しかしながら、ＶＴＲからの素材の収録は、通常、人が操作することにより行われる業務であるため、ＶＴＲが使用されない時間帯が多く存在し、その間の使用用途が無かった。
【０００３】
【特許文献１】特開２００７−０６０２４０号公報
【発明の開示】
【発明が解決しようとする課題】
【０００４】
上述のように、従来のノンリニアバンクシステムでは、ＶＴＲの資源が有効に利用されない場合があった。
本発明は、このような従来の事情に鑑み為されたもので、入力スイッチャーに入力される映像音声をＶＴＲにより同録することにより、ＶＴＲの資源を有効に利用することができる映像音声処理システムを提供することを目的とする。
【課題を解決するための手段】
【０００５】
上記目的を達成するため、本発明では、ＶＴＲ又は他の媒体から放送の番組素材となる映像音声を入力し、当該映像音声を入力スイッチャーを介して映像音声装置に記録して送出する映像音声処理システムにおいて、次のような構成とした。
すなわち、同録指示手段が、人から受け付けられた操作に基づいて、又は、予め設定されたスケジュール情報に基づいて、前記他の媒体から入力される映像音声のＶＴＲによる同録を指示する。前記入力スイッチャーは、前記同録指示手段により同録が指示された場合には、前記他の媒体から入力される映像音声を前記映像音声装置へ出力するとともに前記ＶＴＲへ出力する機能を有する。前記ＶＴＲは、前記同録指示手段により同録が指示された場合には、前記入力スイッチャーから入力された映像音声を記録媒体に記録する機能を有する。
【０００６】
従って、人からの指示又は設定されたスケジュールに基づく指示に応じて、ＶＴＲ以外の媒体から入力される映像音声が入力スイッチャーを介してＶＴＲに入力されて記録媒体に記録されるため、入力スイッチャーに入力される映像音声をＶＴＲにより同録することにより、ＶＴＲの資源を有効に利用することができる。
【０００７】
ここで、ＶＴＲとしては、種々なものが用いられてもよい。なお、ＶＴＲの代わりに、映像音声を記録媒体に記録する機能や記録媒体から再生する（読み出す）機能を有する任意の装置が用いられる構成とすることも可能である。
また、記録媒体としては、例えば、ＶＴＲテープが用いられる。なお、ＶＴＲの代わりに、ＶＴＲ以外の記録や再生の装置が用いられる場合には、その装置に適した種々な記録媒体が用いられてもよい。
【０００８】
また、他の媒体（前記したＶＴＲ以外の媒体）としては、回線などの種々なものが用いられてもよく、例えば、オンエア対象の映像音声を出力する装置（例えば、配信装置）からの当該映像音声を入力する回線を用いることができ、この場合、当該映像音声をオンエア（放送）すると同時に、当該映像音声をＶＴＲにより記録媒体に記録（同録）することができる。
【０００９】
また、放送の番組素材となる映像音声としては、種々なものが用いられてもよく、例えば、映像と音声が組み合わされたものが用いられるが、映像のみ或いは音声のみから構成されるときがあってもよい。
また、人から同録を指示する操作を受け付ける場合には、例えば、人により操作されるスイッチやキーやマウスなどを備えており、人から同録を指示する操作が受け付けられたとき（或いは、人によりタイミングが指示された場合にはそのタイミングのとき）に、同録が指示される。
また、スケジュール情報としては、例えば、同録を指示するタイミングの情報（例えば、時刻の情報や、番組名の情報など）を有しており、そのタイミングで同録が指示される。
【００１０】
なお、ＶＴＲによる同録の指示としては、例えば、当該ＶＴＲにより記録媒体に記録された映像音声の再生（読み出し）が行われていないときに同録を行うように指示が為される。これにより、ＶＴＲが使用されていないときに、同録に使用することにより、資源の有効活用が図られる。
【発明の効果】
【００１１】
以上説明したように、本発明に係る映像音声処理システムによると、入力スイッチャーに入力される映像音声をＶＴＲにより同録することにより、ＶＴＲの資源を有効に利用することができる。
【発明を実施するための最良の形態】
【００１２】
本発明に係る実施例を図面を参照して説明する。
図１には、本発明の一実施例に係るノンリニアバンクシステム（ノンリニア番組収録送出装置）の構成例を示してある。
本例のノンリニアバンクシステムは、例えば人により操作される収録操作端末１と、収録を制御する収録制御機器２と、送出を制御する送出制御機器３と、データを記憶するデータベース４と、監視機能を有する監視端末５と、これらの各処理部１〜５が互いに通信可能に接続されたＬＡＮ（Ｌｏｃａｌ  Ａｒｅａ  Ｎｅｔｗｏｒｋ）６と、スイッチングを行う入力スイッチャー１１と、ＶＴＲテープなどに対する収録処理や読み出し処理を行うＶＴＲ１２と、映像音声を記録するビデオサーバ１３と、映像音声を出力する映像音声モニタ１４と、ＶＴＲテープなどからなる記録媒体２１を備えている。
【００１３】
ここで、本例では、例えば従来と同様な収録機能として、収録操作端末１からの操作内容により、収録制御機器２は、入力スイッチャー１１、ＶＴＲ１２、ビデオサーバ１３を制御して、ＶＴＲ１２により得られる記録媒体２１に記録された映像音声（搬入素材の映像音声）を、入力スイッチャー１１を介して、ビデオサーバ１３に記録する。又は、予めデータベース４により管理された回線からの自動収録スケジュールに従って、収録制御機器２は、入力スイッチャー１１、ビデオサーバ１３を制御して、入力スイッチャー１１に入力された回線からの映像音声をビデオサーバ１３に記録する。
【００１４】
また、本例では、例えば従来と同様な送出機能として、送出制御機器３は、マスター設備（図示せず）からの送出指示に従って、ビデオサーバ１３を制御して、ビデオサーバ１３に記録されている映像音声を再生することで、その映像音声（送出映像音声）をマスター設備へ送出する。
【００１５】
次に、本例において特徴的な動作である（動作例１）〜（動作例３）について説明する。
（動作例１）について説明する。
収録操作端末１により同録（同時収録）指示操作を受け付けたことにより、又は、収録操作端末１により作成されてデータベース４で管理される同録スケジュールにより、収録制御機器２は、入力スイッチャー１１を制御して、入力スイッチャー１１に入力される入力映像音声Ａ１をＶＴＲ１２へ出力させ、更に、収録制御機器２は、ＶＴＲ１２を制御（同録制御）して、その入力映像音声Ａ１を記録媒体（例えば、ＶＴＲテープなど）２１へ記録させる。
【００１６】
このように、本例では、放送する番組素材（映像や音声）を事前にビデオサーバ１３などの映像音声装置に記録して送出するシステムにおいて、記録素材の収録元装置として使用するＶＴＲ１２を使用して、入力スイッチャー１１からの映像音声を同録することが行われる。
ここで、入力映像音声Ａ１としては、例えば、オンエア前の映像音声を用いることや、或いは、オンエア中の映像音声を用いることができ、所定の回線を介して入力スイッチャー１１に入力される。
【００１７】
（動作例２）について説明する。
図２には、収録操作端末１において画面に表示される同録指示操作画面（ＶＴＲ収録操作の画面）の一例を示してある。
本例の同録指示操作画面には、入力スイッチャー切り替えボタン１０１として、複数のボタンが設けられている。任意のボタンを選択する（例えば、押下した状態とする）ことにより、そのボタンに対応したもの（例えば、回線や記録媒体など）からの映像音声入力を選択することができる。
また、本例の同録指示操作画面には、ＶＴＲ操作パネル１０２が設けられている。ＶＴＲ操作パネル１０２には、ＶＴＲ１２を操作するための複数のボタンとして、「ＰＬＡＹ」、「ＲＥＣ」、「ＲＥＶ」、「ＳＴＯＰ」、「ＦＦ」といったボタンが設けられており、また、ＶＴＲ１２の状態を表示する表示部１１１が設けられている。
また、本例の同録指示操作画面には、この画面の表示を終了させるための「終了」ボタンが設けられている。
【００１８】
同録指示操作画面では、画面上の入力スイッチャー切り替えボタン１０１が選択されることにより、収録制御機器２は、その選択に従って、入力スイッチャー１１を制御して、ＶＴＲ１２に入力する映像音声を即時に切り替える。
また、画面上のＶＴＲ操作パネル１０２が操作されることにより、収録制御機器２は、その操作内容に従って、ＶＴＲ１２を即時に制御する。
また、収録制御機器２は、所定の設定周期毎にＶＴＲ１２の状態（ステータス）を示す情報を取得して収録操作端末１へ返すことにより、画面上のＶＴＲ操作パネル１０２は、例えば表示部１１１に、ＶＴＲ１２の状態を表示する。
【００１９】
ここで、ＶＴＲ１２に対してＲＥＣ（記録処理）を行う際のタイムコード（ＴＣ）としては、例えば、収録操作端末１からの指示に応じて、ＶＴＲ１２に直接入力されるＥＸＴＥＲＮＡＬ  ＴＣを基準に書き込むことや、或いは、画面上から入力したＴＣ設定値を基準に書き込むことが行われる。
また、例えば、収録操作端末１により入力スイッチャー１１を制御して、ＶＴＲ１２に入力されている映像音声を映像音声モニタ１４へ出力させることも可能であり、この場合、当該映像音声を映像音声モニタ１４で確認することが可能である。
【００２０】
このように、本例では、収録操作端末１により受け付けられる同録のための操作により、入力スイッチャー１１及びＶＴＲ１２を制御して即時に同録が行われる。
【００２１】
（動作例３）について説明する。
収録操作端末１から、例えば、同録に使用するＶＴＲ名、開始年月日、終了年月日、収録ソースの情報を入力し、それを同録スケジュールとしてデータベース４で管理する。
収録制御機器２は、データベース４で管理される同録スケジュールを監視し、同録開始時刻の一定時間前に、入力スイッチャー１１、ＶＴＲ１２などの必要なリソースを制御して、同録開始時刻にＶＴＲ１２による同録を開始する。この時、例えば、ＶＴＲ電源断、ＶＴＲテープ未挿入、又は、その他の障害が発生した場合には、収録制御機器２は監視端末５へアラーム情報を送信し、これにより、監視端末５は人（運用者）に対して所定の通知（例えば、音や表示など）を行う。
また、収録制御機器２は、同録の完了又は失敗の結果を示す情報をデータベース４上の同録スケジュールへ反映する。
【００２２】
このように、同録のための同録スケジュールを収録操作端末１からの操作内容により作成や保存し、保存された同録スケジュールに従って収録制御機器２から入力スイッチャー１１及びＶＴＲ１２を制御して自動で同録を実行することが行われる。
【００２３】
以上のように、本例のノンリニアバンクシステムでは、収録ソースとしてのＶＴＲ１２を使用していない時間帯を利用して、入力スイッチャー１１に入力されている映像音声（例えば、オンエア映像音声など）をＶＴＲ１２により同時収録することができ、これにより、資源の有効利用が可能となる。
ここで、本例のノンリニアバンクシステムは、種々なものに適用されてもよく、例えば、放送する番組素材を事前にビデオサーバ１３などの映像音声装置に記録して送出するシステムに適応して好適なものである。
【００２４】
なお、本例のノンリニアバンクシステム（映像音声処理システムの一例）では、入力映像音声Ａ１を入力スイッチャー１１に入力するための回線がＶＴＲ１２以外の媒体（他の媒体）に相当しており、ビデオサーバ１３が映像音声を記録して送出する映像音声装置に相当しており、収録操作端末１が人から同録指示の操作を受け付ける機能を有しており、データベース４が同録スケジュールの情報（スケジュール情報）を記憶する機能を有しており、収録制御機器２が人からの指示や同録スケジュールに基づく指示により同録指示を発して入力スイッチャー１１やＶＴＲ１２を制御する機能により同録指示手段が構成されている。
【００２５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２６】
【図１】本発明の一実施例に係るノンリニアバンクシステムの構成例を示す図である。
【図２】同録指示操作画面の一例を示す図である。
【符号の説明】
【００２７】
１・・収録操作端末、  ２・・収録制御機器、  ３・・送出制御機器、  ４・・データベース、  ５・・監視端末、  ６・・ＬＡＮ、  １１・・入力スイッチャー、  １２・・ＶＴＲ、  １３・・ビデオサーバ、  １４・・映像音声モニタ、  ２１・・記録媒体、  １０１・・入力スイッチャー切り替えボタン、  １０２・・ＶＴＲ操作パネル、  １１１・・表示部、
【図１】
2009284377.tif 000003
【図２】
2009284377.tif 000004